(57)【要約】【課題】  幼児がいたずらで鉛筆削り孔に指を挿入した場合にカッターが作動せず、指がカッターで切断される事故を防止しうる電動鉛筆削り器を提供する。【解決手段】  鉛筆削り孔の内部にモータで回転しうるカッターが装備され、上記鉛筆削り孔に鉛筆が挿入された場合に、上記カッターにより鉛筆の先端部が自動的に削られるように構成された電動式の鉛筆削り器であって、上記カッターの回転を停止させて、上記鉛筆削り孔に挿入された指の負傷を防止しうる安全機構が設けられ、上記安全機構として、上記モータを回転させる回路をＯＦＦ状態にしうる幼児保護スイッチが設けられている。また、上記幼児保護スイッチが上記回路をＯＦＦ状態にしている状態であっても、上記回路をＯＮ状態にして上記カッターを作動させうる使用スイッチが併設されている。【選択図】  図１
2008137206.tif 000002
【特許請求の範囲】
【請求項１】
鉛筆削り孔の内部にモータで回転しうるカッターが装備され、上記鉛筆削り孔に鉛筆が挿入された場合に、上記カッターにより鉛筆の先端部が自動的に削られるように構成された電動式の鉛筆削り器であって、
上記カッターの回転を停止させて、上記鉛筆削り孔に挿入された指の負傷を防止しうる安全機構が設けられていることを特徴とする鉛筆削り器。
【請求項２】
上記安全機構は、上記モータを回転させる回路をＯＦＦ状態にしうる幼児保護スイッチが設けられていることを特徴とする請求項１記載の鉛筆削り器。
【請求項３】
上記幼児保護スイッチが上記回路をＯＦＦ状態にしている状態であっても、上記回路をＯＮ状態にして上記カッターを作動させうる使用スイッチが併設されていることを特徴とする請求項１〜２のいずれか１項に記載された鉛筆削り器。
【請求項４】
上記鉛筆削り孔と上記使用スイッチは本体ケースの正面部に配置されると共に、上記幼児保護スイッチは本体ケースの背面部に配置されていることを特徴とする請求項３記載の鉛筆削り器。
【請求項５】
本体ケースの内部には、上記カッターと、上記カッターを回転させうるモータと、上記モータに電源からの電流を供給しうる回路と、上記鉛筆削り孔に鉛筆が挿入された際に上記回路をＯＮ状態にすると共に上記鉛筆削り孔から鉛筆が抜出された際に上記回路をＯＦＦ状態にしうる作動スイッチが備えられ、
上記幼児保護スイッチ、上記使用スイッチ及び上記作動スイッチは上記回路内に設けられていることを特徴とする請求項３〜４のいずれか１項に記載された鉛筆削り器。
【請求項６】
上記回路において、上記幼児保護スイッチは上記作動スイッチに対し直列に接続され、上記使用スイッチは上記幼児保護スイッチに対し並列に接続されていることを特徴とする請求項５記載の鉛筆削り器。
【請求項７】
上記本体ケースに対し着脱可能な削り屑収納ボックスが設けられると共に、上記削り屑収納ボックスが上記本体ケースから取り外された状態で上記回路をＯＦＦにし、上記削り屑収納ボックスが上記本体ケースに対し装着された状態で上記回路をＯＮにしうる安全スイッチが設けられたことを特徴とする請求項２〜６のいずれか１項に記載された鉛筆削り器。
【発明の詳細な説明】
【技術分野】
【０００１】
本発明は、鉛筆削り器に係り、特に、幼児が鉛筆削り孔に指を挿入して負傷する事故を防止しうる電動鉛筆削り器に関する。
【背景技術】
【０００２】
従来の電動鉛筆削り器は、鉛筆削り孔に鉛筆を挿入すると、カッターを回転させるモータのスイッチがＯＮになって、カッターが自動的に回転して鉛筆を削るように構成されている。
【０００３】
ところで、近時、幼児がシュレッダーの書類挿入口に、いたずらで指を挿入して、指を切断されるという事故が多発しており、緊急の安全対策が要望されている。
【０００４】
電動鉛筆削り器の場合も、シュレッダーと同様に、幼児が鉛筆削り孔にいたずらで指を挿入する可能性がある。
そして、鉛筆削り孔に指を挿入すると、上記のようにカッターが自動的に回転することから、その指がカッターにより切断される危険がある。
【０００５】
したがって、電動鉛筆削り器の場合も、上記の危険を防止しうる手段が備えられることが要請されている。
【０００６】
従来、鉛筆の削り屑を収納するボックスを引き出した後の空間に指を挿入してカッターに触れることにより負傷することを防止するように構成された電動鉛筆削り器が、特許文献１乃至特許文献４によって公知である。
【０００７】
【特許文献１】特許第３７５８２７０号公報
【０００８】
【特許文献２】実用新案公報昭５７―３４０８０号
【０００９】
【特許文献３】実用新案公報昭５２―１５８７０号
【００１０】
【特許文献４】実用新案公報昭４９―１７０６７号
【００１１】
しかしながら、幼児が鉛筆削り孔にいたずらで指を挿入して負傷することを防止しうる鉛筆削り器は従来存在していない。
【発明の開示】
【発明が解決しようとする課題】
【００１２】
そこで本発明の課題は、幼児がいたずらで鉛筆削り孔に指を挿入した場合にカッターが作動せず、指がカッターで切断される事故を防止しうる電動鉛筆削り器を提供することにある。
【課題を解決するための手段】
【００１３】
上記課題を解決するために、請求項１記載の本発明に係る鉛筆削り器は、鉛筆削り孔の内部にモータで回転しうるカッターが装備され、上記鉛筆削り孔に鉛筆が挿入された場合に、上記カッターにより鉛筆の先端部が自動的に削られるように構成された電動式の鉛筆削り器であって、上記カッターの回転を停止させて、上記鉛筆削り孔に挿入された指の負傷を防止しうる安全機構が設けられていることを特徴とする。
【００１４】
すなわち、本発明に係る上記鉛筆削り器にあっては、上記安全機構が上記カッターの回転を停止させて、上記鉛筆削り孔に幼児が指を挿入して負傷するのを防止することができる。
【００１５】
また、本発明に係る上記鉛筆削り器にあっては、上記安全機構は、上記モータを回転させる回路をＯＦＦ状態にしうる幼児保護スイッチが設けられていることを特徴とする。
【００１６】
すなわち、本発明に係る上記鉛筆削り器にあっては、上記安全機構を簡単に作動させるために上記幼児保護スイッチが設けられている。したがって、上記幼児保護スイッチにより上記モータを回転させる回路をＯＦＦ状態にすることにより、安全性が容易に確保されることになる。
【００１７】
また、本発明に係る上記鉛筆削り器は、上記幼児保護スイッチが上記回路をＯＦＦ状態にしている状態であっても、上記回路をＯＮ状態にして上記カッターを作動させうる使用スイッチが併設されていることを特徴とする。
【００１８】
すなわち、本発明に係る上記鉛筆削り器にあっては、幼児を保護するために、上記幼児保護スイッチを常にＯＦＦ状態にしていると、大人が鉛筆を削れないという不都合が生じるので、それを避けるために、上記使用スイッチが設けられている。この使用スイッチをＯＮにすれば、上記幼児保護スイッチがＯＦＦ状態であっても、上記カッターを作動させて鉛筆を削ることができる。
【００１９】
また、本発明に係る上記鉛筆削り器は、上記鉛筆削り孔と上記使用スイッチは本体ケースの正面部に配置されると共に、上記幼児保護スイッチは本体ケースの背面部に配置されていることを特徴とする。
【００２０】
すなわち、本発明に係る上記鉛筆削り器にあっては、幼児が上記幼児保護スイッチをいたずらしにくいように、上記幼児保護スイッチを上記本体ケースの背面部に配置したものである。
【００２１】
また、本発明に係る上記鉛筆削り器は、本体ケースの内部には、上記カッターと、上記カッターを回転させうるモータと、上記モータに電源からの電流を供給しうる回路と、上記鉛筆削り孔に鉛筆が挿入された際に上記回路をＯＮ状態にすると共に上記鉛筆削り孔から鉛筆が抜出された際に上記回路をＯＦＦ状態にしうる作動スイッチが備えられ、上記幼児保護スイッチ、上記使用スイッチ及び上記作動スイッチは上記回路内に設けられていることを特徴とする。
【００２２】
すなわち、本発明に係る上記鉛筆削り器にあっては、上記構成要素を備えることにより、簡単な構成で、鉛筆を自動的に削ることができると共に、幼児が鉛筆削り孔に指を挿入してもカッターを回転しないようにすることができる。
【００２３】
また、本発明に係る上記鉛筆削り器は、上記回路において、上記幼児保護スイッチは上記作動スイッチに対し直列に接続され、上記使用スイッチは上記幼児保護スイッチに対し並列に接続されていることを特徴とする。
【００２４】
すなわち、本発明に係る上記鉛筆削り器にあっては、上記幼児保護スイッチは上記作動スイッチに対し直列に接続されていることから、上記幼児保護スイッチをＯＦＦ状態にすれば上記回路もＯＦＦにしてカッターの回転を停止させることができる。
また、上記使用スイッチは上記幼児保護スイッチに対し並列に接続されていることから、上記幼児保護スイッチがＯＦＦ状態であっても、上記使用スイッチをＯＮにして上記回路を閉路することにより、上記カッターを回転させて鉛筆を支障なく削ることができる。  
【００２５】
また、本発明に係る上記鉛筆削り器は、上記本体ケースに対し着脱可能な削り屑収納ボックスが設けられると共に、上記削り屑収納ボックスが上記本体ケースから取り外された状態で上記回路をＯＦＦにし、上記削り屑収納ボックスが上記本体ケースに対し装着された状態で上記回路をＯＮにしうる安全スイッチが設けられたことを特徴とする。
【００２６】
すなわち、本発明に係る上記鉛筆削り器にあっては、上記削り屑収納ボックスが上記本体ケースから取り外された場合に、その後の空間に幼児が指を挿入して、露出されたカッターに指を触れて負傷する事故を防止する手段も備えている。
したがって、上記鉛筆削り孔に指を挿入して負傷する危険と、削り屑収納ボックスを取り外した後の空間に指を挿入して負傷する危険の両方を回避することができ、極めて安全性が高い。
【発明の効果】
【００２７】
請求項１記載の本発明に係る鉛筆削り器は、鉛筆削り孔の内部にモータで回転しうるカッターが装備され、上記鉛筆削り孔に鉛筆が挿入された場合に、上記カッターにより鉛筆の先端部が自動的に削られるように構成された電動式の鉛筆削り器であって、上記カッターの回転を停止させて、上記鉛筆削り孔に挿入された指の負傷を防止しうる安全機構が設けられていることから、幼児が、いたずらで、もしくは誤って、指を上記鉛筆削り孔に挿入しても、上記安全機構により上記カッターの回転が停止させられているので、カッターで指が切断されるという事故を確実に防止することができる。
【００２８】
請求項２記載の本発明に係る鉛筆削り器にあっては、上記安全機構は、上記モータを回転させる回路をＯＦＦ状態にしうる幼児保護スイッチが設けられていることから、上記幼児保護スイッチを操作することにより、容易にカッターの回転を停止させた状態にすることができる。
【００２９】
請求項３記載の本発明に係る鉛筆削り器は、上記幼児保護スイッチが上記回路をＯＦＦ状態にしている状態であっても、上記回路をＯＮ状態にして上記カッターを作動させうる使用スイッチが併設されていることから、大人が使用する場合は、上記使用スイッチを操作することにより支障なく鉛筆を削ることができる。
【００３０】
請求項４記載の本発明に係る鉛筆削り器は、上記鉛筆削り孔と上記使用スイッチは本体ケースの正面部に配置されると共に、上記幼児保護スイッチは本体ケースの背面部に配置されていることから、上記本体ケースの背面部に配置された上記幼児保護スイッチを幼児が操作して、上記カッターの回転を停止させた状態を安易に解除しにくくなる。
【００３１】
請求項５記載の本発明に係る鉛筆削り器は、本体ケースの内部には、上記カッターと、上記カッターを回転させうるモータと、上記モータに電源からの電流を供給しうる回路と、上記鉛筆削り孔に鉛筆が挿入された際に上記回路をＯＮ状態にすると共に上記鉛筆削り孔から鉛筆が抜出された際に上記回路をＯＦＦ状態にしうる作動スイッチが備えられ、上記幼児保護スイッチ、上記使用スイッチ及び上記作動スイッチは上記回路内に設けられていることから、上記安全機構を作動させるシステムを簡単に構成することができる。
【００３２】
請求項６記載の本発明に係る鉛筆削り器は、上記回路において、上記幼児保護スイッチは上記作動スイッチに対し直列に接続され、上記使用スイッチは上記幼児保護スイッチに対し並列に接続されていることから、上記幼児保護スイッチをＯＦＦ状態にすることによりカッターの回転を確実に停止させ、上記使用スイッチをＯＮ状態にすることによりカッターを確実に回転させることができる。
【００３３】
請求項７記載の本発明に係る鉛筆削り器は、上記本体ケースに対し着脱可能な削り屑収納ボックスが設けられると共に、上記削り屑収納ボックスが上記本体ケースから取り外された状態で上記回路をＯＦＦにし、上記削り屑収納ボックスが上記本体ケースに対し装着された状態で上記回路をＯＮにしうる安全スイッチが設けられたことから、上記削り屑収納ボックスが上記本体ケースから取り外された状態では上記モータが回転しないので、上記削り屑収納ボックスが上記本体ケースから取り外された後の空間に幼児が指を挿入してカッターに触れることにより負傷する事故も防止することができる。
【発明を実施するための最良の形態】
【００３４】
以下、図面を用いて本発明の実施の形態について説明する。
本実施の形態に係る鉛筆削り器１１は、図２に示すように、鉛筆削り孔１４の内部にモータ２７で回転しうるカッター２５が装備され、上記鉛筆削り孔１４に鉛筆が挿入された場合に、上記カッター２５により鉛筆の先端部が自動的に削られるように構成された電動式の鉛筆削り器１１であって、図２及び図４に示すように、上記カッター２５の回転を停止させて、上記鉛筆削り孔１４に挿入された指の負傷を防止しうる安全機構３３が設けられている。
また、上記安全機構３３は、図２及び図４に示すように、上記モータ２７を回転させる回路３１をＯＦＦ状態にしうる幼児保護スイッチ２２が設けられている。
また、図１及び図４に示すように、上記幼児保護スイッチ２２が上記回路３１をＯＦＦ状態にしている状態であっても、上記回路３１をＯＮ状態にして上記カッター２５を作動させうる使用スイッチ１８が併設されている。
また、図１及び図２に示すように、上記鉛筆削り孔１４と上記使用スイッチ１８は本体ケース１２の正面部１３に配置されると共に、上記幼児保護スイッチ２２は本体ケース１２の背面部２１に配置されている。
また、図３及び図４に示すように、本体ケース１２の内部には、上記カッター２５と、上記カッター２５を回転させうるモータ２７と、上記モータ２７に電源からの電流を供給しうる回路３１と、上記鉛筆削り孔１４に鉛筆が挿入された際に上記回路３１をＯＮ状態にすると共に上記鉛筆削り孔１４から鉛筆が抜出された際に上記回路３１をＯＦＦ状態にしうる作動スイッチ２９が備えられ、上記幼児保護スイッチ２２、上記使用スイッチ１８及び上記作動スイッチ２９は上記回路３１内に設けられている。
また、図４に示すように、上記回路３１において、上記幼児保護スイッチ２２は上記作動スイッチ２９に対し直列に接続され、上記使用スイッチ１８は上記幼児保護スイッチ２２に対し並列に接続されている。
また、図１、図３及び図４に示すように、上記本体ケース１２に対し着脱可能な削り屑収納ボックス１５が設けられると共に、上記削り屑収納ボックス１５が上記本体ケース１２から取り外された状態で上記回路３１をＯＦＦにし、上記削り屑収納ボックス１５が上記本体ケース１２に対し装着された状態で上記回路３１をＯＮにしうる安全スイッチ３３が設けられている。
【実施例１】
【００３５】
図は実施例に係る鉛筆削り器１１を示したものである。
本実施例に係る鉛筆削り器１１は、図１に示すように、略直方体の本体ケース１２を有し、上記本体ケース１２の正面部１３における上半部の右端寄りの箇所に鉛筆削り孔１４が設けられている。
上記鉛筆削り器１１は、上記鉛筆削り孔１４に鉛筆の先端部を挿入することにより、自動的に鉛筆を削ることができるように構成されている。
【００３６】
また、上記本体ケース１２の正面部１３において、上記鉛筆削り孔１４の下方には、図１に示すように、鉛筆の削り屑を収納するための削り屑収納ボックス１５が配設されている。
上記削り屑収納ボックス１５は上記本体ケース１２から引き出し可能に構成され、色鉛筆等を削る場合に、手動操作で使用する色鉛筆等削り孔１６が併設されている。
上記色鉛筆等削り孔１６の内方にはカッターが固定されており、色鉛筆等を挿入して、手動により色鉛筆等を回転操作することにより、色鉛筆等を削ることができる。
【００３７】
また、上記本体ケース１２の正面部１３における下端部において、上記削り屑収納ボックス１５の左方箇所には、図１に示すように、凹部１７が設けられ、上記凹部１７の内部に使用スイッチ１８が設けられている。
【００３８】
また、上記本体ケース１２の上面部１９における後端寄り個所には、図１に示すように、鉛筆の芯の太さを調節するための、回転可能な調節ダイヤル２０が設けられている。
なお、この調節ダイヤル２０の機構及び作用は一般的な鉛筆削り器に採用されているものと同様に構成されているので、詳しくは説明しないが、鉛筆の芯の先端が当接するように上記鉛筆削り孔１４の内奥部に配されたスライダ（図示せず）を備え、上記スライダを上記鉛筆削り孔１４の深さ方向へ移動させて、鉛筆の芯の位置を規制することにより、芯の太さを調整できるように構成されている。
【００３９】
次に、図２に示すように、上記本体ケース１２の背面部２１において、下端部における幅方向中央部には幼児保護スイッチ２２が設けられている。
上記幼児保護スイッチ２２は、幼児が上記鉛筆削り孔１４に指を挿入しても負傷を防止しうる安全機構３３として設けられたものである。
上記幼児保護スイッチ２２はスライド式で、右方へ移動させると「入」の状態になり、左方へ移動させると「切」の状態になるように構成されている。
【００４０】
また、図２に示すように、上記背面部２１において、上記幼児保護スイッチ２２の右方箇所には電源コード２３が設けられている。上記電源コード２３の先端部には、図４に示すようにコンセントに差し込み可能なプラグ２４が取り付けられている。
また、上記背面部２１には、上記鉛筆削り孔１４の奥に詰まった折れ芯を排除するための折れ芯排除ボタン３２が設けられている。この折れ芯排除ボタン３２には、図は省略するが、上記鉛筆削り孔１４の内部に貫通して折れ芯に当接しうるピンが接続されている。
【００４１】
上記本体ケース１２の内部には、図３に示すように、上記鉛筆削り孔１４の内部にカッター２５が配置されている。上記カッター２５はカッター取付軸２６により保持されている。
また、上記本体ケース１２の内部にはモータ２７が装備され、上記モータ２７の回転は歯車機構２８を介して上記カッター取付軸２６に伝達しうるように構成されている。
【００４２】
また、上記鉛筆削り孔１４の内部には、図３に示すように、作動スイッチ２９が配置されている。
上記作動スイッチ２９は、上記鉛筆削り孔１４に鉛筆の先端部が挿入された際にＯＮ状態となり、上記鉛筆削り孔１４から鉛筆が抜出された際にＯＦＦ状態となるように作動するよう構成されている。
【００４３】
また、上記本体ケース１２の内部には、図３に示すように、上記削り屑収納ボックス１５が上記本体ケース１２から取り外された状態でＯＦＦになると共に、上記削り屑収納ボックス１５が上記本体ケース１２に装着された状態ではＯＮになる安全スイッチ３０が設けられている。
【００４４】
また、上記本体ケース１２の内部には、図４に示すように、上記電源コード２３、上記モータ２７、上記作動スイッチ２９、上記安全スイッチ３０を接続する回路３１が構成されている。
また、上記回路３１には、上記幼児保護スイッチ２２と、上記使用スイッチ１８も設けられている。
【００４５】
図４に示すように、上記回路３１において、上記作動スイッチ２９、上記安全スイッチ３０及び上記幼児保護スイッチ２２は直列に接続され、上記使用スイッチ１８と上記幼児保護スイッチ２２は並列に接続されている。
【００４６】
次に上記実施例の作用を説明する。
まず、上記鉛筆削り孔１４に鉛筆の先端部を挿入すると、上記作動スイッチがＯＮになって上記モータ２７が回転し、上記カッター２５も上記モータ２７の回転を伝達されるので、上記カッター２５が回転して、鉛筆を削ることができる。
逆に、鉛筆を上記鉛筆削り孔１４を引き抜くと、上記作動スイッチがＯＦＦになって上記モータ２７が回転及び上記カッター２５の回転が停止する。
【００４７】
上記のように、上記鉛筆削り孔１４に鉛筆の先端部を挿入すると、上記作動スイッチがＯＮになって上記モータ２７が回転し、上記カッター２５も回転するが、鉛筆の代わりに幼児が指を挿入した場合も同様に作動する。したがって、指が上記カッター２５により切断される危険性が存在する。
この危険は、上記幼児保護スイッチ２２をＯＦＦにすることにより無くすことができる。すなわち、上記幼児保護スイッチ２２と上記作動スイッチ２９は直列に接続されているので、上記幼児保護スイッチ２２をＯＦＦにすると上記回路３１もＯＦＦになって上記モータ２７及び上記カッター２５が作動しない。したがって、幼児が指を上記鉛筆削り孔１４に挿入しても負傷することがなく安全である。
【００４８】
幼児を保護するために、上記幼児保護スイッチ２２をＯＦＦ状態にしたままでは、大人が使用できず不便である。この不便を解消するために上記使用スイッチ１８が設けられている。
上記使用スイッチ１８と上記幼児保護スイッチ２２は並列に接続されているので、上記幼児保護スイッチ２２がＯＦＦ状態に維持されていても、上記使用スイッチ１８をＯＮにすれば上記回路３１は閉路して上記モータ２７及び上記カッター２５を回転させることができ、支障なく鉛筆を削ることができる。
【００４９】
また、上記削り屑収納ボックス１５を上記本体ケース１２から取り外すと、その後の空間において上記カッター２５が露出した状態になるので、幼児がその空間に指を挿入した場合も、カッター２５に指が触れて負傷する危険がある。
しかしながら、本実施例に係る鉛筆削り器１１では、上記安全スイッチ３３が上記作動スイッチ２９と直列に設けられていて、上記削り屑収納ボックス１５を上記本体ケース１２から取り外すと、上記安全スイッチ３３がＯＦＦになるように構成されているので、上記削り屑収納ボックス１５を上記本体ケース１２から取り外した場合は上記モータ２７及び上記カッター２５は回転しない。したがって、上記削り屑収納ボックス１５を上記本体ケース１２から取り外した後の空間に幼児が指を挿入してカッター２５に指を触れても負傷する危険はなく安全である。
【産業上の利用可能性】
【００５０】
本発明は、鉛筆削り器、特に電動式の鉛筆削り器に適用可能である。
【図面の簡単な説明】
【００５１】
【図１】本発明の実施例に係る鉛筆削り器の正面側の斜視図である。
【図２】本発明の実施例に係る鉛筆削り器の背面側の斜視図である。
【図３】本発明の実施例に係る鉛筆削り器の概略横断面図である。
【図４】本発明の実施例に係る鉛筆削り器の回路図である。
【符号の説明】
【００５２】
１１  鉛筆削り器
１２  本体ケース
１３  正面部
１４  鉛筆削り孔
１５  削り屑収納ボックス
１６  色鉛筆等鉛筆削り孔
１７  凹部
１８  使用スイッチ
１９  上面部
２０  調節ダイヤル
２１  背面部
２２  幼児保護スイッチ
２３  電源コード
２４  プラグ
２５  カッター
２６  カッター取付軸
２７  モータ
２８  歯車機構
２９  作動スイッチ
３０  安全スイッチ
３１  回路
３２  折れ芯排除ボタン
３３  安全機構
【図１】
2008137206.tif 000003
【図２】
2008137206.tif 000004
【図３】
2008137206.tif 000005
【図４】
2008137206.tif 000006